(57)【特許請求の範囲】
【請求項１】
交流電路の漏電電流を検出する零相変流器と、
この零相変流器の二次コイルに対し第一の負担抵抗と第二の負担抵抗との直列抵抗体を接続した漏洩電流回路と、
上記第一の負担抵抗の降下電圧に応じて漏洩電流が所定レベル以上か否かを判定し、その判定結果により漏洩検出信号を出力する漏電検出回路と、
上記第二の負担抵抗の降下電圧から漏電電流を計測表示する漏電電流計測回路とを備えたことを特徴とする漏電遮断器。
【請求項２】
請求項１記載の漏電遮断器において、
第一の負担抵抗に並列接続される抵抗体と、この抵抗体の抵抗値を可変する手段とを有して漏電検出回路の感度を調節する感度調整手段を備えたことを特徴とする漏電遮断器。
【請求項３】
請求項１または請求項２記載の漏電遮断器において、
上記漏電遮断器内に供給される電源が交流電路からの供給電源である場合、
漏電電流計測回路で計測した漏電電流を記憶するメモリと、上記漏洩電流計測回路に供給する別の電源を備え、
漏洩遮断器のトリップ動作により上記供給電源が遮断されても上記漏洩電流計測回路は上記別電源を用いて上記メモリからトリップ直前の漏洩電流値を読み出し表示可能としたことを特徴とする漏電遮断器。
【発明の詳細な説明】
【０００１】
【発明の属する技術分野】
この発明は交流電路の漏電電流を零相変流器を介して検出して、その漏電電流のレベルにより交流電路を遮断または漏電警報出力し、かつ漏電電流のレベルを計測表示する漏電遮断器に関する。
【０００２】
【従来の技術】
図４は、例えば特開平７−６６８２号公報に示された従来の漏電電流の計測表示器を備えた漏電遮断器の構成を示すブロック図である。
図において、１は交流電路、２は交流電路１を開閉する開閉接点、３は交流電路１の漏電電流を検出する第一の零相変流器、４は漏電検出回路であり、第一の零相変流器３の出力レベルを判定する。５は交流電路１の漏電電流を検出する第二の零相変流器、６は第二の零相変流器５の出力を増幅する増幅器、７は増幅器６の出力を電流計駆動回路８で更に増幅して漏電電流のレベルを表示する電流計である。
【０００３】
上記のような漏電遮断器において、交流電路１に地絡、漏電等が生ずると、第一の零相変流器３には漏電電流に比例した二次電流が誘起される。漏電検出回路４ではこの二次電流を図示しない負担抵抗により電圧変換して、漏電電流の出力レベルを判定して、出力レベルが所定レベル以上のとき引外し装置（図示なし）を介して開閉接点２を開離して交流電路１を遮断する。また、第二の零相変流器５にも漏電電流に比例した二次電流が誘起され、増幅器６では図示しない負担抵抗により二次電流に比例した電圧に変換して、電流計駆動回路８を介して電流計７に交流電路１の漏電電流値を表示させる。
【０００４】
図５は、特開平５−２５２６４６号公報に示された他の従来例の漏電遮断器の構成を示すブロック図である。図において、１〜４、７は上記従来例のものと同様である。９、１０は第一の零相変流器３の二次側に直列接続された負担抵抗である。漏電検出回路４はこの負担抵抗９、１０の両端の電圧を検出して漏電電流の出力レベルを判定している。そして電流計７は負担抵抗９側のみの電圧を検出して図示されていない増幅回路を介して漏電電流を計測表示する。１１は漏電検出回路４での漏電電流の出力レベルが所定値以上と判定したとき外部への漏電検出を出力する漏電リレーである。動作については上記の従来例のものと略同様であり説明を省略する。
【０００５】
【発明が解決しようとする課題】
上記の特開平７−６６８２号公報のものは、交流電路１の安全確保のために所定レベル以上の漏電により交流電路１を遮断する漏電検出回路４用の零相変流器３と、漏電電流値を表示するための零相変流器５とを同一筐体内に収納するため、筐体内のスペース占有が多大となる。また、コスト的にも高価となる。そして、零相変流器３、５は個々に特性が異なるため漏電検出回路４により判別される漏電電流と、電流計７に表示される電流値とに差異がでてしまうという不具合が発生する。
【０００６】
また、特開平５−２５２６４６号公報においては、漏電電流値表示のため、零相変流器３の出力側に複数の検出用の負担抵抗９、１０を直列接続して、その分圧された電圧を処理して漏電電流を計測する方法が開示されている。しかし、この従来例では、図６に示すように、漏電検出回路４の感度電流を切り換えるためにスイッチ１２を介して、負担抵抗９、１０に並列に調節抵抗２０を接続しようとすると、合成抵抗値が変化してしまうため、感度を切り換えるたびに漏電電流値に対する出力電圧が変化してしまう。つまり、同じ漏電電流が流れていても感度電流の設定を変えてしまうと、出力の値も変わってしまうという不具合が発生し、電流計７での漏電電流の計測が正確に行えないという課題があった。
【０００７】
この発明は、かかる問題点を解決するためになされたものであり、１個の零相変流器の出力で漏電検出と漏電電流表示を行い、漏電検出回路の感度電流の設定を変えても漏電電流表示の精度が保たれる漏電遮断器の検出回路を提供することを目的とする。
【０００８】
【課題を解決するための手段】
（１）この発明に係る漏電遮断器は、交流電路の漏電電流を検出する零相変流器と、この零相変流器の二次コイルに対し第一の負担抵抗と第二の負担抵抗との直列抵抗体を接続した漏洩電流回路と、上記第一の負担抵抗の降下電圧に応じて漏洩電流が所定レベル以上か否かを判定し、その判定結果により漏洩検出信号を出力する漏電検出回路と、上記第二の負担抵抗の降下電圧から漏電電流を計測表示する漏電電流計測回路とを備えたものである。
【０００９】
（２）また、上記（１）において、
第一の負担抵抗に並列接続される抵抗体と、この抵抗体の抵抗値を可変する手段とを有して漏電検出回路の感度を調節する感度調整手段を備えたものである。
【００１０】
（３）また、上記（１）または（２）において、
上記漏電遮断器内に供給される電源が交流電路からの供給電源である場合、
漏電電流計測回路で計測した漏電電流を記憶するメモリと、上記漏洩電流計測回路に供給する別の電源を備え、漏洩遮断器のトリップ動作により上記供給電源が遮断されても上記漏洩電流計測回路は上記別電源を用いて上記メモリからトリップ直前の漏洩電流値を読み出し表示可能としたものである。
【００１１】
【発明の実施の形態】
実施の形態１．
図１はこの発明の実施の形態１の漏電遮断器の検出回路の構成を示すブロック図である。
図において、１〜３、７〜１０は上記従来例のものと同様である。１２は感度電流切換え装置であり、負担抵抗９に並列接続される調節抵抗９ａ、９ｂを選択して漏電検出回路１３の感度を調節する。１３は差動増幅器からなる漏電検出回路であり、負担抵抗９の降下電圧を検出して漏電電流の出力レベルを判定して、出力レベルが所定レベル以上のとき引外し装置１４を介して開閉接点２を開離して交流電路１を遮断する。
【００１２】
１５は差動増幅器からなる電流計測回路、１６は電流計測回路１５の出力を電流計駆動回路８へ電気的に絶縁して伝達するホトカプラである。１７は電流計７および電流計駆動回路８の駆動電源、１８は漏電電流値を記憶するＲＡＭ等の記憶装置である。
【００１３】
漏電電流の出力レベルが所定値を超えた際の交流電路１遮断動作は、上記従来例と同様であり説明を省略する。
漏電電流計測においては、電流計測回路１５の出力をホトカプラ１６を介して伝達するようにしているので、電流計駆動回路８および電流計７は遮断器の交流電路１から絶縁される。これにより交流電路１から編成される電流計測回路１５とは別の駆動電源１７で動作できるようになり、引外し装置１４の作動により交流電路１が遮断されても、電流計７、電流計駆動回路８および記憶装置１８は作動可能である。
【００１４】
記憶装置１８は引外し装置１４の作動により交流電路１が遮断された漏電電流値を記憶させておき、遮断器のトリップ時直前の漏電電流値を表示し続けることができる。
なお、駆動電源１７はトリップ前、トリップ後に拘わらず常に電流計駆動回路８に電源を供給するようにしているが、トリップ信号に応じてトリップ後のみ供給するようにしてもよい。
【００１５】
上記の漏電遮断器の検出回路では、零相変流器３の二次電流を直列接続された負担抵抗９、１０に通じ、負担抵抗９の電圧を漏電検出回路１３が検出し、負担抵抗１０の電圧を電流計測回路１５が検出する。負担抵抗９、１０が直列接続されているので漏電検出回路１３および電流計測回路１５は同一の二次電流を検出対象としているので、双方間に誤差は生じない。
【００１６】
また、漏電検出回路１３の感度電流調節のため感度電流切換え装置１２により一方の負担抵抗９に調節抵抗９ａまたは９ｂを並列接続した場合、一方の負担抵抗９と調節抵抗９ａまたは９ｂの並列接続による並列抵抗体の合成抵抗値は一方の負担抵抗９の抵抗値よりも低下し、従って各負担抵抗９、１０の分圧比も変動して感度調節の影響を受けるが、一方の負担抵抗９と調節抵抗９ａまたは９ｂとの並列抵抗体に対し他方の負担抵抗１０が直列に接続されているので、一方の負担抵抗９に調節抵抗９ａまたは９ｂを並列接続することによる全体のインピーダンスの変化率は小さくなり、従って、電流計側の電流計測回路１５の他方の負担抵抗１０に通ずる電流値は変動はするものの、その程度が少ないため、許容精度内での漏電電流の計測が可能となる。
【００１７】
実施の形態２．
図２はこの発明の実施の形態２の漏洩電流を計測表示する回路の要部を示す図である。２０は交流電路１により供給される漏電遮断器内の各種回路動作用の電源で、この電源２０と駆動電源１７との出力をダイオード２１により突き合わせて電流計駆動回路８に供給する。
【００１８】
漏電遮断器のトリップにより上記電源２０が遮断されても、電流計駆動回路８は駆動電源１７から電源が供給され、記憶装置１８のトリップ直前の漏洩電流値を読み出し電流計７で表示することができる。
【００１９】
実施の形態３．
図３はこの発明の実施の形態３の漏洩電流を計測表示する回路の要部を示す図で、実施の形態２の変形例である。
実施の形態２の記憶装置１８でＲＡＭを用いた場合は、常に電源を供給しないと電源断で記憶内容が消去されるが、図３のようにフラッシュメモリ２３を用いることにより電源断でも記憶内容が保持でき、トリップ直前の漏洩電流値を読み出すことが可能となる。
【００２０】
また、スイッチ２２を設け、トリップ時に漏電電流値の表示が必要なときのみスイッチ２２をＯＮして、フラッシュメモリ２３のトリップ直前の漏洩電流値を読み出し表示するようにしてもよい。
【００２１】
【発明の効果】
以上のようにこの発明によれば、第一の負担抵抗と第二の負担抵抗を直列接続してそれぞれの降下電圧に応じて漏電電流の検出と漏電電流の計測をするようにしたので、零相変流器の二次コイルは一つでよく、従って、漏洩電流の検出と計測との電流値の差異は生じない。
【００２２】
また、感度調節用の調節抵抗を第一の負担抵抗に並列に接続しても第二の負担抵抗による電圧降下の値の変動は少ないので、所定精度内での漏洩電流の計測が可能となる。
【００２３】
また、トリップ動作により電源が供給されなくても、メモリしたトリップ直前の漏洩電流値を別電源を用いて読み出して表示することが可能となる。
【図面の簡単な説明】
【図１】この発明の実施の形態１による漏電遮断器の検出回路のブロック図である。
【図２】この発明の実施の形態２による漏電遮断器の検出回路の要部の回路図である。
【図３】この発明の実施の形態２による他の漏電遮断器の検出回路の要部の回路図である。
【図４】従来の漏電電流の計測表示器を備えた漏電遮断器のブロック図である。
【図５】他の従来例を示す漏電遮断器のブロック図である。
【図６】図５の検出回路の課題を説明する回路図である。
【符号の説明】
１    交流電路                                        ２    開閉接点
３，５    零相変流器                            ７    電流計
８    電流計駆動回路                            ９    第一の負担抵抗
１０    第二の負担抵抗                            ９ａ、９ｂ    調節抵抗
１２    感度電流切換え装置                １３    漏電検出回路
１４引外し装置                                    １５    電流計測回路
１６    ホトカプラ                                １７    駆動電源
１８    記憶装置
【図１】
0003561408.tif 000002
【図２】
0003561408.tif 000003
【図３】
0003561408.tif 000004
【図４】
0003561408.tif 000005
【図５】
0003561408.tif 000006
【図６】
0003561408.tif 000007